(57)【要約】【課題】遊技者に対して閉塞感を与えることがなく、複数の遊技機（特に、弾球遊技機）を配置した島全体として統一感を与えることができる遊技機用開閉ユニット及び遊技機を提供する。【解決手段】弾球遊技機１に設けられる開閉ユニット８０は、内側構成部８２と、透明部材１２０とを有し、透明部材１２０は、本体枠の横幅と同一又は略同一の横幅を有していて、平板部１２２と、縁部１２４等から構成される。内側構成部８２は、縁部材８４と、縁部材８４内に設けられた透明板部１１０等を有している。【選択図】図５
2007252650.tif 000002
【特許請求の範囲】
【請求項１】
弾球遊技機等の遊技機の正面側を開閉するための遊技機用開閉ユニットであって、
該開閉ユニットが開閉自在に支持される本体部の横幅と同一又は略同一の横幅を有し、透明な部材により形成された透明部材で、平板状を呈する平板部と、該平板部の端部に設けられた縁部とを有する透明部材を有することを特徴とする遊技機用開閉ユニット。
【発明の詳細な説明】
【技術分野】
【０００１】
本発明は、遊技機（特に、弾球遊技機）に関し、特に、該遊技機に用いる開閉部材に関するものである。
【背景技術】
【０００２】
従来より弾球遊技機は一般的に、外枠と、外枠に対して開閉する本体枠と、本体枠に対して開閉するガラス枠が設けられている。該本体枠には、遊技盤や裏機構盤が設けられている。
【０００３】
ここで、ガラス枠の正面側は、遊技領域に対応する面が窪んだ盆地状の形状を呈するものが一般的である。つまり、ガラス枠は、遊技領域に対応した開口部を有し枠状に形成されたガラス枠本体と、該開口部に設けられた透明板部とを有し、透明板部の周囲に設けられたガラス枠本体が手前側に突出していて、透明板部の領域がガラス枠本体よりも窪んだ形状となっている。例えば、特許文献１においては、特許文献１の図７等に示すように、ガラス板保持枠１５においてガラス１４の周囲に設けられた突出部１６が手前側に突出していて、ガラス１４の領域が窪んだ状態となっている。また、ガラス枠は、上記のように形成されていることから、ガラス枠は窓状に形成されているといえる。
【特許文献１】特開平１１−３１９２６２号
【発明の開示】
【発明が解決しようとする課題】
【０００４】
しかし、従来の弾球遊技機における開閉部材としてのガラス枠は、上記のように、盆地状の窓状を呈することから、遊技者に対して閉塞感を与えるという問題があった。つまり、遊技領域がガラス枠本体に囲まれていて、特に、ガラス枠本体が手前側に突出しているので、遊技領域に対向した遊技者に対して、ガラス枠本体に囲まれた印象を与え、遊技者に対して閉塞感を与えるものであった。
【０００５】
また、従来の弾球遊技機におけるガラス枠は、上記のように、窓状を呈することから、複数の弾球遊技機が配置された島を外観したときに、個々の弾球遊技機を独立した遊技機として即座に認識できてしまい、島全体の統一感を与えることができないという問題があった。
【０００６】
そこで、本発明は、遊技者に対して閉塞感を与えることがなく、複数の遊技機（特に、弾球遊技機）を配置した島全体として統一感を与えることができる遊技機用開閉ユニット及び遊技機を提供することを目的とするものである。
【課題を解決するための手段】
【０００７】
本発明は上記問題点を解決するために創作されたものであって、第１には、弾球遊技機等の遊技機の正面側を開閉するための遊技機用開閉ユニットであって、該開閉ユニットが開閉自在に支持される本体部の横幅と同一又は略同一の横幅を有し、透明な部材により形成された透明部材で、平板状を呈する平板部と、該平板部の端部に設けられた縁部とを有する透明部材を有することを特徴とする。
【０００８】
この第１の構成における遊技機用開閉ユニットにおいては、透明部材が、開閉ユニットが開閉自在に支持される本体部の横幅と同一又は略同一の横幅を有し、透明な部材により形成されていて、遊技機の正面側が遊技機の横幅いっぱいの透明な部材によりカバーされることになるので、遊技者に対して閉塞感を与えることがない。また、遊技機の正面側が遊技機の横幅いっぱいの透明な部材によりカバーされることになるので、複数の遊技機を島状に配設した場合に、透明部材が横に連続して連なった外観を呈することになるので、島全体の統一感を与えることができる。
【０００９】
また、以下の構成としてもよい。すなわち、第２には、弾球遊技機であって、外枠と、外枠に対して回動自在に設けられた本体枠と、本体枠内に設けられた遊技盤と、本体枠に対して回動自在に設けられ、遊技盤の正面側を開閉する開閉ユニットで、本体枠の横幅（本体枠の横幅の最大幅とするのが好ましい）と同一又は略同一の横幅を有し、透明な部材により形成された透明部材で、平板状を呈する平板部と、該平板部の端部に設けられた縁部とを有する透明部材を有する開閉ユニットと、を有することを特徴とする。
【００１０】
この第２の構成の弾球遊技機においては、透明部材が、本体枠の横幅と同一又は略同一の横幅を有し、透明な部材により形成されていて、弾球遊技機の正面側が弾球遊技機の横幅いっぱいの透明な部材によりカバーされることになるので、遊技者に対して閉塞感を与えることがない。また、弾球遊技機の正面側が遊技機の横幅いっぱいの透明な部材によりカバーされることになるので、複数の弾球遊技機を島状に配設した場合に、透明部材が横に連続して連なった外観を呈することになるので、島全体の統一感を与えることができる。
【００１１】
また、第３には、上記第１又は第２の構成において、上記透明部材が、背面側が開口したケース状を呈し、上記縁部が、平板部の左右の両端から背面側に向けて形成された第１縁部と、平板部の上下の両端から背面側に向けて形成された第２縁部とから構成されていることを特徴とする。これにより、透明部材がケース状を呈するので、遊技盤の露出部分をこの透明部材により十分カバーすることができ、遊技盤に対するセキュリティも向上させることができる。
【００１２】
また、第４には、上記第１から第３までのいずれかの構成において、上記透明部材において、縁部が平板部よりも正面側に突出せずに形成されていることを特徴とする。よって、遊技者に閉塞感を与えるおそれを十分防止することができる。
【００１３】
また、第５には、上記第１から第４までのいずれかの構成において、上記開閉ユニットが、透明部材の内側に着脱自在に設けられる内側構成部を有し、該内側構成部が、枠状を呈する枠状部と、枠状部の枠内に設けられた平板状の透明板部と、を有し、透明部材の平板部と内側構成部の透明板部との間には一定の幅の空間が形成されていることを特徴とする。よって、枠状部に透明板部が設けられているので、遊技盤の正面側には、透明部材の平板部と該透明板部が設けられ、透明な板状部材が二重に設けられるので、遊技盤に対するセキュリティを十分図ることができる。
【００１４】
また、第６には、上記第１から第５までのいずれかの構成において、上記内側構成部の枠状部は、枠状に形成された縁枠部と、該縁枠部の正面側をカバーするカバー部とを有し、該縁枠部とカバー部とにより内部が中空状に形成され、中空状の内部に発光手段が設けられていることを特徴とする。これにより、内側構成部の枠状部を発光手段により装飾することができる。
【００１５】
また、第７には、上記第１から第５までのいずれかの構成において、上記内側構成部の枠状部は、枠状に形成された縁枠部と、該縁枠部の正面側をカバーするカバー部とを有し、発光手段が縁枠部の背面側の本体枠に設けられていて、縁枠部には、発光手段からの光を導通するための光導通部が設けられていることを特徴とする。よって、発光手段は本体枠に設けられているので、発光手段を開閉ユニットに設ける場合に比べて配線を容易とすることができる。
【００１６】
また、第８には、上記第１から第４までのいずれかの構成において、上記透明部材が、透明部材における平板部の背面側に間隔を介して平行に設けられた透明板部を有していることを特徴とする。これにより、遊技盤の正面側には、透明部材の平板部と該透明板部とが設けられ、透明な板状部材が二重に設けられるので、遊技盤に対するセキュリティを十分図ることができる。
【００１７】
また、第９には、上記第１から第８までのいずれかの構成において、透明部材の平板部が四角形状を呈し、開閉ユニットを閉じた状態で、遊技機に設けられた遊技盤の遊技領域以外の領域も視認可能に形成されていることを特徴とする。これにより、遊技盤の遊技領域以外の領域を有効に活用することができ、可動装置や飾り部材を設けて視覚的効果を演出することができる。
【００１８】
また、以下の構成としてもよい。すなわち、第１０には、弾球遊技機等の遊技機に用いる発光装置であって、柔軟性を有する発光部材で、透光性を有し柔軟性のある部材により筒状に形成された筒状部と、筒状部の内部に設けられた樹脂部で、透光性を有し柔軟性のある部材により形成された樹脂部とを有し、筒状部の光の屈折率と樹脂部の光の屈折率とが異なり、樹脂部の端部に光が照射されると、照射された光が、筒状部の周面から露出するとともに、樹脂部を通って樹脂部の他端に導かれるように構成された発光部材の複数を束ねて形成された発光部を有することを特徴とする。この第１０の構成においては、各発光部材の表面（すなわち、周側面）が、端部から照射された光が乱反射して発光し、柔らかくムードのある光を発光することができる。また、発光部を見た場合に、複数の発光部材が前後方向に重なった部分においては、各発光部材ごとに異なる色に発光させることにより、複数の色が重なり合い、幻想的な光を表現することができる。これにより、遊技者に視覚的に十分楽しませることが可能となる。
【００１９】
また、第１１には、上記第１０の構成において、複数の発光部材が螺旋状に束ねた状態に形成されていることを特徴とする。よって、各発光部材ごとに異なる色に発光させることにより、発光する複数の色が複雑に絡み合い、幻想的で高級感のある発光表現を行うことができる。
【００２０】
また、第１２には、上記第１０又は第１１の構成において、発光装置が、複数の発光部材における各発光部材の樹脂部の端部に光を照射する光照射手段を有し、光照射手段は、各発光部材ごとに異なる色の光を照射することを特徴とする。
【００２１】
また、第１３には、上記第１０から第１２までのいずれかの構成において、光照射手段は、該光照射手段が対応する発光手段に対して、照射する光の色を順次変化させることを特徴とする。
【発明の効果】
【００２２】
本発明に基づく開閉ユニット及び弾球遊技機によれば、透明部材が、開閉ユニットが開閉自在に支持される本体部の横幅と同一又は略同一の横幅を有し、透明な部材により形成されていて、遊技機の正面側が遊技機の横幅いっぱいの透明な部材によりカバーされることになるので、遊技者に対して閉塞感を与えることがない。また、遊技機の正面側が遊技機の横幅いっぱいの透明な部材によりカバーされることになるので、複数の遊技機を島状に配設した場合に、透明部材が横に連続して連なった外観を呈することになるので、島全体の統一感を与えることができる。
【発明を実施するための最良の形態】
【００２３】
本発明においては、遊技者に対して閉塞感を与えることがなく、複数の遊技機（特に、弾球遊技機）を配置した島全体として統一感を与えることができる開閉ユニット及び遊技機を提供するという目的を以下のようにして実現した。
【実施例１】
【００２４】
本発明に基づく弾球遊技機（遊技機）１は、図１〜図８に示されるように構成され、外枠１０と、本体枠２０と、遊技盤６０と、裏機構盤７０と、開閉ユニット８０とを有している。
【００２５】
外枠１０は、略直方体形状の枠状を呈し、板状部材を略直方体形状に枠組みして形成されている。
【００２６】
また、本体枠２０は、外枠１０に対して回動自在に枢支され、外枠１０の正面側（表側、Ｙ１側）に回動して開閉するようになっている。この本体枠２０は、枠本体２２と、下部構成部３０と、トップランプ５０とを有している。この本体枠２０は、前枠と呼ばれることもある。
【００２７】
この枠本体２２は、遊技盤６０や裏機構盤７０を設けることができるように枠状に形成され、その横断面は、図５に示すように形成されている。すなわち、枠本体２２は、断面略Ｌ字状が互いに向き合った形状の本体部２４と、本体部２４から外側に突出した突出部２６とを有していて、外枠１０は、この突出部２６の奥側面に当接する。また、突出部２６の端部は略Ｌ字状に正面側に突出するように形成されている。
【００２８】
また、下部構成部３０は、枠本体２２の下部の正面側に突出して形成され、この下部構成部３０には、発射ハンドル３２と、上皿３４と、下皿３６と、鍵穴３８と、係止部材４０が設けられている。この係止部材４０は、下側構成部３０の上面から上方に突出するとともに、トップランプ５０の下面から下方に突出するように構成されていて、バネ力等により突出する方向に付勢され、係止部材４０を退避させるソレノイド（図示せず）が動作するか、又は、退避する方向に力を加えることにより退避するように構成されている。
【００２９】
ここで、開閉ユニット８０を開く場合には、鍵穴３８に挿入された鍵を一方向に回転操作することにより、当該操作を検知してソレノイドが作動して係止部材４０を退避させる。このようにして開閉ユニット８０の開放が可能となる。一方、開閉ユニット８０を本体枠２０に対して閉じる場合には、開閉ユニット８０を本体枠２０に対して閉じていくことにより、開閉ユニット８０が、係止部材４０に形成された案内面（図示せず）に当接しながら閉鎖していくので、係止部材４０が退避していき、その後、後述する開口部１２８、９８に対向する位置で係止部材４０が突出して係合が完了する。
【００３０】
なお、本体枠２０を外枠１０に対して開く場合には、鍵を他方向に回転操作することにより、本体枠２０の施錠が解除されて開放が許容される。
【００３１】
また、トップランプ５０は、本体枠２０の上端から正面側に突出して形成されていて、横方向に細長く形成されている。このトップランプ５０は、図６に示すように、ケース部５２と、ケース部５２内に設けられた発光装置１５０とを有している。このケース部５２は、ケース本体部５６と、ケース本体部５６に着脱自在のカバー部５４とを有していて、発光装置１５０は、ケース本体部５６内に取り付けられている。
【００３２】
発光装置１５０は、図７に示すように、支持部１５２と、発光部１６０とを有している。この支持部１５２は、発光部１６０を支持するとともに、発光部１６０の各発光部材１６２、１６４、１６６に光を照射するための部材であり、ケース状の支持部本体１５４と、光照射部１５６とを有している。この支持部本体１５４は、各発光部材１６２、１６４、１６６を支持可能なように開口部（図７の例では、３つの開口部）が設けられ、各開口部に各発光部材１６２、１６４、１６６が支持されている。また、光照射部１５６は、各発光部材１６２、１６４、１６６の端部に対向して設けられ、各発光部材ごとに光照射部１５６が設けられている。各光照射部１５６からは対応する発光部材の端部に光を照射できるようになっている。この光照射部１５６としては、例えば、ＬＥＤが用いられる。この光照射部１５６は、複数種類の色の光を照射できるように構成されている。
【００３３】
また、図７において、１５８は、光照射部１５６に電源を供給するとともに、光照射部１５６の作動を制御するための制御信号を供給するための制御信号を供給するためのケーブルである。
【００３４】
なお、一対の支持部１５２のうち光照射部１５６を一方にのみ設けてもよく、また、一対の支持部１５２の両方に光照射部１５６を設けてもよい。
【００３５】
また、発光部１６０は、複数の発光部材、すなわち、発光部材１６２、１６４、１６６により形成されている。発光部材１６２、１６４、１６６における各発光部材は同じ構成であり、パイプ状部（筒状部）１７０と、樹脂部１７２とから構成され、パイプ状部１７０は、透明又は半透明で（すなわち、透光性を有し）柔軟性のある部材（例えば、塩化ビニル）により形成されている。また、樹脂部１７２は、エラストマ（常温でゴム状の弾性を有する樹脂）により形成されており、押出成形されたエラストマをパイプ状部１７０内に圧入することにより形成されている。この樹脂部１７２も透明又は半透明であり、透光性を有する。
【００３６】
このパイプ状部１７０と樹脂部１７２とは、光の屈折率が異なっており、パイプ状部１７０と樹脂部１７２ともに透明又は半透明に形成されているので、発光部材の樹脂部の端部に照射された光は、発光部材の表面（すなわち、周側面）全体を発光させながら樹脂部１７２内を通って反対側の端部に向かう。
【００３７】
また、各発光部材１６２、１６４、１６６は螺旋状に形成され、互いに編んで束ねた状態に形成されている。つまり、直線状の３つの発光部材を束ねた上で捻って形成した形状をなしている。
【００３８】
なお、支持部１５２は、トップランプ５０内の両端に設けられていて、トップランプ５０内の横方向のほぼ全長にわたって発光部１６０が設けられている。よって、トップランプ５０内に設けられた状態では、発光部１６０は、図７に示す状態よりも実際には長く形成されている。また、図７における断面図は、Ｚ−Ｚ位置における断面を示したものである。
【００３９】
この発光装置１５０の使用に当たっては、各発光部材ごとに光照射部１５６から異なる色の光を照射して、各発光部材を異なる色に発光させる。つまり、発光部材１６２に照射する光の色と、発光部材１６４に照射する光の色と、発光部材１６６に照射する光の色とを互いに異なる色とする。なお、一対の支持部１５２のそれぞれに光照射部１５６を設ける場合には、同じ発光部材に対しては、両側から同じ色の光を照射するようにする。
【００４０】
すると、各発光部材の表面（すなわち、周側面）は、端部から照射された光が乱反射して発光し、柔らかくムードのある光を発光することができる。また、発光部１６０を見た場合に、複数の発光部材が前後方向に重なった部分においては、複数の色が重なり合い、幻想的な光を表現することができる。特に、発光部１６０においては、３つの発光部材が互いに編んだ状態で螺旋状に形成されているので、発光する複数の色が複雑に絡み合い、幻想的で高級感のある発光表現を行うことができる。
【００４１】
また、各発光部材に照射する光の色の種類を各発光部材ごとに異なるものとし、かつ、各発光部材に照射する光の色の種類を順次変化させることにより、幻想的で高級感のある発光表現にさらなる変化をもたらすことができる。
【００４２】
すなわち、従来においては、単にトップランプ内にＬＥＤ等の発光部を設けるのみで、発光の演出効果を高くすることができず、遊技者に視覚的に楽しませることができなかったが、本実施例の場合には、上記の発光装置１５０を設けることにより、遊技者に視覚的に十分楽しませることができる。
【００４３】
なお、ある発光部材の両側から照射する光の色を異なる色としてもよい。このようにすることにより、１つの発光部材においても、異なる色の光が混ざり合い、幻想的な光の演出を行うことができる。
【００４４】
なお、上記の説明においては、発光部１６０においては、３つの発光部材が設けられているとしたが、これには限られず、２以上の発光部材を有する構成であればよい。また、複数の発光部材を螺旋状に束ねることなく、単に円柱状の発光部材を束ねた状態のものでも上記の作用、効果を得ることができる。
【００４５】
また、遊技盤６０は、木材（ベニヤ板）によって平板状に形成されていて、本体枠２０内に設けられている。つまり、遊技盤６０は、本体枠２０の枠本体２２の本体部２４によって囲まれる領域に嵌装されていて、正面側に遊技領域が形成されている。すなわち、遊技盤６０の正面側には、釘、風車、センターケース等が設けられている。
【００４６】
また、裏機構盤７０は、本体枠２０や遊技盤６０の背面側（Ｙ２側）に設けられていて、遊技球の払出し機構等の機構部や制御部を有している。
【００４７】
また、開閉ユニット８０は、本体枠２０に対して回動自在に設けられていて、遊技盤６０の正面側の面を開閉するように構成されている。
【００４８】
この開閉ユニット８０は、内側構成部８２と、透明部材１２０とを有している。ここで、内側構成部８２は、透明部材１２０の内側に設けられる部材であり、枠状に形成された縁部材８４と、縁部材８４の枠内に設けられた透明板部１１０とを有している。
【００４９】
縁部材８４は、枠状に形成された縁枠部８６と、縁枠部８６の両側の正面側をカバーするカバー部１００とを有している。
【００５０】
この縁枠部８６は、横方向の両側には、断面略Ｌ字状の縦部材８８が縦方向に設けられている。つまり、図４に示すように、奥行き方向（Ｙ１−Ｙ２方向）に設けられた板状部９０と、板状部９０の奥側の端部から横方向に伸びた板状部９２とにより断面略Ｌ字状に形成されていて、板状部９０の正面側の端部から所定の位置には内側に突出部９４が形成されている。つまり、板状部９０の正面側の端部から突出部９４の正面側の端部間の長さは透明板部１１０の厚み分となるように、突出部９４が設けられている。
【００５１】
また、縁枠部８６の上下の端部には、横部材９６が横方向に設けられている。すなわち、この横部材９６は、平面視においては略Ｕ字状を呈し、その両側の端部領域９６ａは、図３に示すように、縦部材８８と縦部材８８をカバーするカバー部１００とをカバーするように、縦部材８８とカバー部１００の外周形状に合わせて平板状に形成され、また、端部領域９６ａ以外の中央領域９６ｂは、帯状の平板部９６ｂ−１と平板部９６ｂ−１の奥側の端部から内側に設けられた帯状の平板部９６ｂ−２とにより、断面略Ｌ字状に形成されている。この平板部９６ｂ−２は、突出部９４から連設して設けられ、突出部９４の正面側の面と平板部９６ｂ−２の正面側の面が透明板部１１０との接着領域となる。なお、縁枠部８６は全体に一体に形成されていて、縁枠部８６を構成する左右両側の縦部材８８と上下の端部に設けられた横部材９６とは、全体に一体に形成されている。
【００５２】
なお、上下の横部材９６における一方の端部領域９６ａ、すなわち、開閉ユニット８０の回動中心側とは反対側の端部領域９６ａには、係止部材４０を挿通するための開口部９８が設けられている。また、縁枠部８６は、非透明の部材により形成してもよいし、透明部材又は半透明部材により形成してもよい。
【００５３】
また、カバー部１００は、湾曲した板状を呈し、その正面側の面と背面側の面はともに曲面を呈していて、平面視においては、図４、図５に示すように、９０度の角度だけ湾曲している。つまり、カバー部１００における内側の端部は横方向（Ｘ１−Ｘ２方向）を向いていて、また、外側の端部は奥行き方向（Ｙ１−Ｙ２方向）を向いている。このカバー部１００の背面側の面には、奥行き方向に円柱状をなしネジ穴が設けられたボス１０２が設けられていて、縦部材８８の裏面側からネジ１０４を通すことにより、カバー部１００を縁部材８４に取り付けることができるように構成されている。なお、このボス１０２は、カバー部１００に複数設けられているのが好ましい。このカバー部１００は、透光性のある部材により形成されていて、縁部材８４の両側を装飾する飾り部材として機能する。
【００５４】
また、縁枠部８６の縦部材８８とカバー部１００とで内部のが中空状に形成され、中空状の空間には、ＬＥＤ基板（発光手段）１０６が設けられている。
【００５５】
また、内側構成部８２の左右の縦部材８８の板状部９０間の距離は、遊技盤６０の横方向の長さと略同一又は同一に形成されていて、さらに、上下一対の横部材９６間の距離は、開閉ユニット８０を開状態とした際に、遊技盤６０における外部に露出した部分（これを「遊技盤６０における露出部分」とする）の上下方向の長さと略同一又は同一の長さを有している。
【００５６】
縁部材８４を構成する縁枠部８６やカバー部１００は、樹脂により形成されている。なお、縁枠部８６やカバー部１００を板金等の金属により形成してもよい。
【００５７】
また、縁部材８４の枠内には、透明板部１１０が設けられている。この透明板部１１０は、板状を呈し、透明部材（例えば、ガラス）により形成されている。なお、本出願における「透明」とは、透過率が１００％に近いものだけでなく、ある程度透過率が低まったものも含むものである。透明板部１１０の左右の端部においては、透明板部１１０の背面側の面と突出部９４の正面側の面とを接着することにより固定されていて、また、カバー部１００の端部が接着領域を被覆するように形成されているので、これにより、透明板部１１０の左右の端部は、突出部９４とカバー部１００の端部の間の位置に設けられている。また、透明板部１１０の上下の端部においては、透明板部１１０の背面側の面と横部材９６の平板部９６ｂ−２とを接着することにより固定されている。内側構成部８２を透明部材１２０内に設置した状態では、透明板部１１０は、平板部１２２と平行に設けられている。
【００５８】
この透明板部１１０は、全体に四角形状の平板状を呈し、横方向には、遊技盤６０の横方向と略同一又は同一の長さを有し、縦方向には、開閉ユニット８０を開状態とした際に、遊技盤６０における外部に露出した部分（これを「遊技盤６０における露出部分」とする）の上下方向の長さと略同一又は同一の長さを有している。
【００５９】
これにより、透明板部１１０は、遊技盤６０における露出部分の正面側に該露出部分に対応した領域に設けられていて、弾球遊技機１の正面側から遊技盤６０における露出部分のほぼ全領域を見ることができるようになっている。よって、弾球遊技機１の正面側からは、遊技盤６０におけるレール枠６２の外側の領域も見ることが可能となっている。
【００６０】
また、この内側構成部８２は、透明部材１２０内に収納できる大きさに形成されている。つまり、内側構成部８２の横方向の長さは、透明部材１２０の内面の横方向の幅と略同一であり、内側構成部８２の縦方向の長さは、透明部材１２０の内面の横方向の幅と略同一となっている。また、内側構成部８２を透明部材１２０に取り付けた状態では、内側構成部８２の正面側の端部と、透明部材１２０の平板部１２２の背面側の面との間には、所定の間隔が設けられている。
【００６１】
また、透明部材１２０は、裏面側が開口したケース状を呈し、透明な部材（例えば、樹脂）により形成されている。すなわち、透明部材１２０は、平板状に横方向に形成された平板部１２２と、平板部１２２の左側の端部と右側の端部から連設された一対の縁部１２４と、平板部１２２の上端と下端から連設された一対の縁部１２６とを有している。
【００６２】
ここで、平板部１２２は、縦方向及び横方向に形成されている。また、縁部１２４は、平板部１２２の端部から連設されたアール部（つまり湾曲した部分）と、アール部から連設された平板部（この平板部は、縦方向及び奥行き方向に形成されている）とを有した形状を呈している。
【００６３】
また、縁部１２６は、縁部１２４と同様に、アール部と平板部（この平板部は、左右方向及び奥行き方向を向いている）とを有する構成でもよいし、平板部１２２と直角の平板部のみの構成としてもよい。
【００６４】
また、透明部材１２０の正面視における一方の側（具体的には、左側）には、軸受部１２７が設けられている。つまり、図３、図５に示すように、各縁部１２６の一方の側に、ピン５６を挿通するための軸受部１２７が上下位置に一対設けられている。このピン５６は、本体枠２０に上下位置に設けられた一対のプレート部５８に略鉛直方向に設けられていて、透明部材１２０に設けられた一対の軸受部１２７に各ピン５９が挿通した状態で、透明部材１２０が回動自在に支持されている。
【００６５】
また、透明部材１２０の正面視における他方の側（具体的には、右側）には、係止部材４０を挿通するための開口部１２８が設けられている。つまり、各縁部１２６の他方の端部側には、開口部１２８が設けられていて、開閉ユニット８０を閉状態でロックするための係止部材４０が開口部１２８に係止するようになっている。
【００６６】
また、縁部１２４の裏面側の端部には、内側構成部８２に係止するための係止部１３０が設けられている。なお、係止部１３０は、内側構成部８２を透明部材１２０に確実に支持するために、縁部１２４の端部の上下方向に沿って複数設けられている。この係止部１３０は、図５に示すように、押え部材１３２と、ネジ（具体的には、座付きネジ）１３４とを有している。すなわち、縁部１２４における係止部１３０が設けられている箇所は、図５の部分拡大図に示すように、段付きボスの状態に形成されていて、突出部１２５が形成されている。押え部材１３２は、平板状の片部であり、突出部１２５が挿通するための開口部が設けられていて、押え部材１３２は、突出部１２５を中心に回動自在に設けられている。そして、ネジ１３４が突出部１２５に固定されていて、押え部材１３２が抜けるのを防止している。
【００６７】
また、透明部材１２０の縁部１２６の内側の面には、透明部材１２０内に収納された内側構成部８２の奥行き方向の位置を規制するためのリブ状のガイド部１３８が設けられている。つまり、このガイド部１３８は、上側の縁部１２６の下面の左右に一対設けられているとともに、下側の縁部１２６の上面の左右に一対設けられている。ガイド部１３８は、縁部材８４における横部材９６の両側部分の形状に合わせて湾曲して形成され、内側構成部８２の上端と下端とに当接して内側構成部８２を位置決めできる程度に若干突出してリブ状に形成されている。
【００６８】
また、開閉ユニット８０の横方向（Ｘ１−Ｘ２方向）の幅（すなわち、透明部材１２０の横方向の幅）は、本体枠２０の横方向の幅と略同一又は同一に形成されていて、透明部材１２０は、本体枠２０の左右の端部の一方から他方にまで形成されている。また、開閉ユニット８０の横方向の幅（すなわち、透明部材１２０の横方向の幅）は、外枠１０の横方向の幅と略同一又は同一に形成されていて、透明部材１２０は、外枠１０の左右の端部の一方から他方にまで形成されている。
【００６９】
以上のように、透明部材１２０は、遊技機における開閉ユニット８０以外の構成である本体部（本実施例の場合には、外枠１０と本体枠２０と遊技盤６０と裏機構盤７０とで構成されるものが本体部に当たる。）の横幅と同一又は略同一の横幅を有し、透明な部材により形成され、平板状を呈する平板部１２２と、該平板部１２２の端部に設けられた縁部１２４、１２６とを有するといえる。なお、透明部材１２０の係止部１３０を除く構成は、全体に一体に形成されている。
【００７０】
上記構成の弾球遊技機１においては、開閉ユニット８０を閉状態から開状態とするには、鍵を鍵穴３８に挿入して所定の操作を行う。すると、突出していた係止部材４０が引き込まれて開閉ユニット８０のロックが解除されるので、開閉ユニット８０を開状態にすることができる。
【００７１】
そして、係止部１３０における押え部材１３２を回転させて解除することで、内側構成部８２を透明部材１２０から取り外すことができる。このようにして、内側構成部８２を新たなものに交換したり、内側構成部８２のメンテナンス（例えば、透明板部１１０の清掃やＬＥＤ基板１０６の交換等）を行うことができる。
【００７２】
また、内側構成部８２を透明部材１２０に取り付けるには、内側構成部８２を透明部材１２０の裏側から透明部材１２０内に収納して、押え部材１３２を回転させて内側構成部８２に係止させることにより、透明部材１２０内に固定される。
【００７３】
開状態の開閉ユニット８０を閉状態にするには、開閉ユニット８０を背面側に回動させて、開閉ユニット８０を本体枠２０に当接させて閉じることで、開閉ユニット８０の開口部９８、１２８に係止して、開閉ユニット８０を閉状態にロックすることができる。
【００７４】
本実施例の弾球遊技機１においては、開閉ユニット８０の透明部材１２０が平板部１２２と、縁部１２４、１２６とを有する構成になっていて、開閉ユニット８０の横方向の幅は、本体枠２０の横方向の幅と略同一又は同一に広く形成されていて、弾球遊技機１の正面側が弾球遊技機１の横幅いっぱいの透明な部材によりカバーされているので、遊技者に対して閉塞感を与えることがない。特に、透明部材１２０における平板部１２２以外の構成、すなわち、縁部１２４、１２６は、平板部１２２よりも正面側に突出していないので、遊技者に対して閉塞感を与えることがない。
【００７５】
また、開閉ユニット８０の横方向の幅は、本体枠２０の横方向の幅と略同一又は同一に広く形成されているので、複数の弾球遊技機１を島状に配設した場合に、開閉ユニット８０の透明部材１２０が横に連続して連なった外観を呈することになるので、島全体の統一感を与えることができる。
【００７６】
また、開閉ユニット８０における内側構成部８２の透明板部１１０は、遊技盤６０における露出部分の正面側に該露出部分に対応した領域に設けられていて、弾球遊技機１の正面側から遊技盤６０における露出部分の全領域を見ることができるようになっているので、遊技盤６０において遊技領域が広く設けられる昨今の傾向にも対応することができ、また、遊技盤６０の遊技領域以外の領域も正面側から見ることができるので、遊技領域を広く見せることが可能となる。
【００７７】
また、図８に示すように、遊技盤６０における遊技領域以外の領域Ｐも遊技者が見ることができるので、この領域を有効に利用することができる。例えば、この領域Ｐに可動装置や飾り部材を設けて視覚的効果を演出することができる。
【００７８】
また、内側構成部８２の両側の部材、特に、カバー部１００は、透明部材１２０の内面にまで近接していないので、遊技者が左右の斜め横方向から遊技盤６０の遊技領域を見た場合でも、内側構成部８２の両側の部材が遊技領域を見る際の邪魔となることがない。
【実施例２】
【００７９】
次に、実施例２の弾球遊技機について、図９等を使用して説明する。実施例２の弾球遊技機２０１は、実施例１の弾球遊技機１と略同様の構成であるが、ＬＥＤ基板の取付け位置と、内側構成部８２の構成が異なる。
【００８０】
すなわち、ＬＥＤ基板１０６は、実施例１とは異なり、本体枠２０における突出部２６の正面側に取り付けられていて、内側構成部８２の縦部材８８の板状部９２には、ＬＥＤ基板１０６から照射された光を導通するための開口部（光導通部）９２ａが設けられている。
【００８１】
この実施例２においては、ＬＥＤ基板１０６が本体枠２０に取り付けられているので、ＬＥＤ基板１０６への配線を容易とすることができる。つまり、実施例１の場合には、開閉ユニット８０側にＬＥＤ基板１０６が設けられているために、本体枠２０側から開閉ユニットに対してＬＥＤ基板１０６のための配線を行う必要があるが、本実施例の場合には、ＬＥＤ基板１０６が本体枠２０に取り付けられているので、そのような配線を行う必要がない。
【００８２】
なお、上記の説明では、内側構成部８２の縦部材８８に光を導通するための開口部９２ａを設けるものとして説明したが、縦部材８８、特に、板状部９２を透明部材又は半透明部材等の透光性部材により構成することにより、開口部９２ａの構成を省略してもよい。
【００８３】
実施例２の弾球遊技機２０１における他の構成は実施例１の弾球遊技機１と同様であるので、詳しい説明を省略する。また、実施例２の弾球遊技機２０１の上記以外の作用、効果は実施例１の弾球遊技機１と同様であるので、詳しい説明を省略する。
【実施例３】
【００８４】
次に、実施例３の弾球遊技機について、図１０等を使用して説明する。実施例３の弾球遊技機３０１は、上記実施例１の弾球遊技機１と略同様の構成であるが、内側構成部の構成が異なる。
【００８５】
すなわち、内側構成部３８２は、枠状に形成された縁部材３８４と、縁部材３８４の枠内に設けられた透明板部４１０とを有している。
【００８６】
この縁部材３８４は、枠状に形成されていて、その断面形状は、図１０に示すように、奥行き方向を向いた板状を呈している。すなわち、縁部材３８４は、背面側に内側に段状に形成された本体部３８６と、本体部３８６の内側面の正面側に内側方向に突出した突出部３９０とを有している。本体部３８６の背面側が段状に形成されているのは、係止部４３０の押え部材を係止させるためであり、段状に形成することにより、係止部４３０の押え部材を係止するための切欠部が形成されている。
【００８７】
また、突出部３９０は、透明板部４１０との接着面を形成するためであり、該突出部３９０の正面側の面が透明板部４１０との接着面となる。
【００８８】
また、透明板部４１０は、縁部材３８４の正面側に設けられている。すなわち、透明板部４１０は、縁部材３８４の本体部３８６の正面側の端部と突出部３９０により囲まれた状態で取り付けられている。この透明板部４１０は、板状を呈し、透明な部材（例えば、ガラス）により形成されている。
【００８９】
ここで、縁部材３８４の横方向の幅は、遊技盤６０の横方向の幅と略同一に形成されている。また、透明板部４１０は、全体に四角形状の平板状を呈し、横方向には、遊技盤６０の横方向と略同一の長さを有し、縦方向には、開閉ユニット３８０を開状態とした際に、遊技盤６０における外部に露出した部分（これを「遊技盤６０における露出部分」とする）の上下方向の長さと略同一又は同一の長さを有している。
【００９０】
これにより、透明板部４１０は、遊技盤６０における露出部分の正面側に該露出部分に対応した領域に設けられていて、弾球遊技機３０１の正面側から遊技盤６０における露出部分のほぼ全領域を見ることができるようになっている。よって、弾球遊技機３０１の正面側からは、遊技盤６０におけるレール枠６２の外側の領域も見ることが可能となっている。
【００９１】
また、内側構成部３８２は、透明部材４２０内に収納できる大きさに形成されている。また、内側構成部３８２を透明部材４２０に取り付けた状態では、内側構成部３８２の透明板部４１０の正面側の面と、透明部材４２０の平板部４２２の背面側の面との間には、所定の間隔が設けられている。
【００９２】
また、透明部材４２０は、上記実施例１の透明部材１２０と略同様の構成である。すなわち、透明部材４２０は、裏面側が開口したケース状を呈し、透明部材により形成されている。すなわち、透明部材４２０は、平板状に形成された平板部４２２と、平板部４２２の左側の端部と右側の端部から連設された一対の縁部４２４と、平板部４２２の上端と下端から連設された一対の縁部（この縁部は、縁部１２６と同様の構成である）とを有している。
【００９３】
また、透明部材４２０の正面視における一方の側（具体的には、左側）には、軸受部４２７が設けられている。また、透明部材４２０の正面視における他方の側（具体的には、右側）には、開閉ユニット３８０を閉状態にロックするための係止部材（係止部材４０と同様の構成である）を挿通するための開口部４２８が設けられている。
【００９４】
また、縁部４２４の裏面側の端部には、内側構成部３８２に係止するための係止部４３０が設けられている。この係止部４３０の構成は、実施例１における係止部１３０と同様の構成であるので、詳しい説明を省略する。
【００９５】
透明部材４２０の上下位置に横方向に設けられた縁部の内側の面には、透明部材４２０内に収納された内側構成部３８２の奥行き方向の位置を規制するためのガイド部が設けられている。例えば、図１０の例では、正面視で右側においては、若干突出した形状のガイド部４３８が設けられていて、左側においては、軸受部４２７がガイド部としても機能している。なお、左側においても、軸受部４２７とは別にガイド部を設けるようにしてもよい。
【００９６】
また、本体枠２０における枠本体２２は、図１０に示すように構成され、その断面形状は、図１０に示すように、略Ｌ字状に形成されていて、両側の枠本体２２は、対称に互いに向き合った形状に形成されている。そして、遊技盤６０は、枠本体２２で囲まれた領域内に設けられている。
【００９７】
本実施例の開閉ユニット３８０においては、実施例１に比べて、縁部材３８４がシンプルに形成されていて、特に、縁部材３８４の左右両側の部分の幅が小さく形成されているので、弾球遊技機３０１を正面側から見た場合に、遊技盤６０の領域をより広く見せることができる。つまり、縁部材３８４は、基本的に、枠状の板状部材により形成されているので、縁部材３８４の内側を広く見せることができ、遊技盤６０の遊技領域を広く見せることが可能となる。
【００９８】
なお、実施例３の弾球遊技機３０１における他の構成は実施例１の弾球遊技機１と同様であるので、詳しい説明を省略する。また、実施例３の弾球遊技機３０１の上記以外の作用、効果は実施例１の弾球遊技機１と同様であるので、詳しい説明を省略する。
【実施例４】
【００９９】
次に、実施例４の弾球遊技機について、図１１、図１２等を使用して説明する。この実施例４の弾球遊技機５０１は、実施例１〜３の弾球遊技機と略同様の構成であるが、実施例１〜３の弾球遊技機とは異なり、透明板部が設けられていない構成である。
【０１００】
すなわち、開閉ユニット（透明部材としてもよい）５８０は、裏面側が開口したケース状を呈し、透明な部材により形成されている。すなわち、開閉ユニット５８０は、平板状に形成された平板部５８２と、平板部５８２の左側の端部と右側の端部から連設された一対の縁部５８４と、平板部５８２の上端と下端から連設された一対の縁部５８６とを有している。
【０１０１】
ここで、平板部５８２は、開閉ユニット５８０を本体枠２０に対して閉じた状態で遊技盤６０の盤面に対して平行に形成されている。また、縁部５８４は、平板部５８２の端部から連設されたアール部（つまり湾曲した部分）と、アール部から連設された平板部（この平板部は、縦方向及び奥行き方向を向いている）とを有した形状を呈している。
【０１０２】
また、縁部５８６は、縁部５８４と同様に、アール部と平板部（この平板部は、左右方向及び奥行き方向を向いている）とを有する構成でもよいし、平板部５８２と直角の平板部のみの構成としてもよい。
【０１０３】
また、開閉ユニット５８０の正面視における一方の側（具体的には、左側）には、軸受部５９０が設けられている。つまり、一方（つまり、正面視左側の）の縁部５８４の外側面の奥側の端部に、本体枠２０側に設けられたピンを挿通するための軸受部５９０が上下位置に一対設けられている。このピンは、実施例１のピン５９と同様の構成であり、本体枠２０に上下位置に設けられた一対のプレート部（プレート部５８と同様の構成である）に略鉛直方向に設けられていて、開閉ユニット５８０に設けられた一対の軸受部５９０に各ピンが挿通した状態で、開閉ユニット５８０が回動自在に支持されている。
【０１０４】
また、開閉ユニット５８０の正面視における他方の側（具体的には、右側）には、開閉ユニット５８０を閉状態にロックするための係止部材（係止部材４０と同様の構成である）を挿通するための開口部５８８が設けられている。つまり、各縁部５８６の他方の端部側には、開口部５８８が設けられていて、開閉ユニット５８０を閉状態でロックするための係止部材が開口部５８８に係止するようになっている。なお、開閉ユニット５８０は、全体に一体に形成されている。
【０１０５】
また、開閉ユニット５８０の横方向の幅は、本体枠２０の横方向の幅と略同一又は同一に形成されていて、開閉ユニット５８０は、本体枠２０の左右の端部の一方から他方にまで形成されている。また、開閉ユニット５８０の横方向の幅は、外枠１０の横方向の幅と略同一又は同一に形成されていて、開閉ユニット５８０は、外枠１０の左右の端部の一方から他方にまで形成されている。
【０１０６】
以上のように、開閉ユニット５８０は、いわば実施例１〜３における透明部材１２０（４２０）のみから構成されていて、実施例１〜３とは異なり、内側構成部は設けられていない。
【０１０７】
また、本体枠２０における枠本体２２は、図１２に示すように構成され、その断面形状は、図１２に示すように、略Ｔ字状に形成されていて、枠本体２２の左右の両側は、対称に互いに向き合った形状に形成されている。つまり、枠本体２２を構成する部材は、板状部５２２と板状部５２４とにより略Ｔ字状に形成されている。そして、遊技盤６０は、枠本体２２で囲まれた領域内に設けられている。
【０１０８】
また、開閉ユニット５８０を本体枠２０に対して閉じた状態では、開閉ユニット５８０の縁部５８４と枠本体２２の板状部５２４との間には、開閉を円滑に行うために、隙間が形成されている。
【０１０９】
上記構成の弾球遊技機５０１における開閉ユニット５８０の動作は上記実施例１の場合と同様であり、開閉ユニット５８０を開く場合には、鍵穴３８に挿入された鍵を一方向に回転操作することにより、当該操作を検知してソレノイド（図示せず）が作動して係止部材４０を退避させ、これにより、開閉ユニット５８０の開放が可能となる。一方、開閉ユニット８０を本体枠２０に対して閉じる場合には、開閉ユニット５８０を本体枠２０に対して閉じていくことにより、開閉ユニット５８０が、係止部材４０に形成された案内面（図示せず）に当接しながら閉鎖していくので、係止部材４０が退避していき、その後、後述する開口部５８８に対向する位置で係止部材４０が突出して係合が完了する。
【０１１０】
この実施例４の弾球遊技機５０１においては、開閉ユニット５８０がケース状の透明部材のみから構成されているので、開閉ユニット５８０を閉じた状態でも遊技盤６０における露出部分を全て遊技者に見せることができ、遊技盤６０において遊技領域が広く設けられる昨今の傾向にも対応することができ、また、遊技盤６０の遊技領域以外の領域も正面側から見ることができるので、遊技領域を広く見せることが可能となる。
【０１１１】
また、遊技盤６０における遊技領域以外の領域も遊技者が見ることができるので、この領域を有効に利用することができる。例えば、この領域に可動部や飾り部材を設けて視覚的効果を演出することができる。
【０１１２】
また、開閉ユニット５８０が平板部５８２と、縁部５８４、５８６とを有する構成になっていて、開閉ユニット５８０の横方向の幅は、本体枠２０の横方向の幅と略同一又は同一に広く形成されているので、遊技者に対して閉塞感を与えることがない。特に、開閉ユニット５８０における平板部５８２以外の構成、すなわち、縁部５８４、５８６は、平板部５８２よりも正面側に突出していないので、遊技者に対して閉塞感を与えることがない。
【０１１３】
また、開閉ユニット５８０の横方向の幅は、本体枠２０の横方向の幅と略同一又は同一に広く形成されているので、複数の弾球遊技機５０１を島状に配設した場合に、開閉ユニット５８０が横に連続して連なった外観を呈することになるので、島全体の統一感を与えることができる。
【実施例５】
【０１１４】
次に、実施例５の弾球遊技機について、図１３等を使用して説明する。この実施例５の弾球遊技機６０１は、実施例４の弾球遊技機と略同様の構成であるが、開閉ユニットに透明板部が設けられている点が異なる。
【０１１５】
すなわち、開閉ユニット６８０は、透明部材６８１と、透明板部７００とを有している。
【０１１６】
すなわち、透明部材６８１は、裏面側が開口したケース状を呈し、透明な部材により形成されている。すなわち、透明部材６８１は、平板状に形成された平板部６８２と、平板部６８２の左側の端部と右側の端部から連設された一対の縁部６８４と、平板部６８２の上端と下端から連設された一対の縁部（この縁部は、縁部５８６と同様の構成である）とを有している。
【０１１７】
ここで、縁部６８４は、アール部６８４ａと、平板状に形成された平板部６８４ｂとからなり、このアール部６８４ａは、平板部６８２と平板部６８４ｂ間に設けられていて、湾曲状に形成されている。このアール部６８４ａの裏面側は、アール部６８４ａと平板部６８４ｂ間に段差を形成している。この段差の裏面側が透明板部７００との接着領域となる。また、平板部６８４ｂは、縦方向及び奥行き方向に形成されている。
【０１１８】
また、透明部材６８１の正面視における一方の側（具体的には、左側）には、軸受部６９０が設けられている。この軸受部６９０の構成は、実施例４における軸受部５９０と同様の構成である。
【０１１９】
また、透明部材６８１の正面視における他方の側（具体的には、右側）には、開閉ユニット６８０を閉状態にロックするための係止部材（係止部材４０と同様の構成である）を挿通するための開口部６８８が設けられている。つまり、上下位置に横方向に設けられた縁部の他方の端部側には、開口部６８８が設けられていて、開閉ユニット６８０を閉状態でロックするための係止部材が開口部６８８に係止するようになっている。なお、透明部材６８１は、全体に一体に形成されている。
【０１２０】
また、透明板部７００は、板状を呈し、透明部材（例えば、ガラス）により形成されていて、透明部材６８１のアール部６８４ａの背面側に接着して固定されている。なお、透明部材６８１における平板部６８２と透明板部７００との間には、隙間が形成されていて、透明板部７００と平板部６８２とは平行に設けられている。
【０１２１】
また、開閉ユニット６８０の横方向の幅は、本体枠２０の横方向の幅と略同一又は同一に形成されていて、開閉ユニット６８０は、本体枠２０の左右の端部の一方から他方にまで形成されている。また、開閉ユニット６８０の横方向の幅は、外枠１０の横方向の幅と略同一又は同一に形成されていて、開閉ユニット６８０は、外枠１０の左右の端部の一方から他方にまで形成されている。
【０１２２】
なお、上記以外の構成は、実施例４の弾球遊技機５０１と同様の構成であるので、詳しい説明を省略する。
【０１２３】
上記構成の弾球遊技機６０１における開閉ユニット６８０の動作は上記実施例４の場合と同様であるので、詳しい説明を省略する。
【０１２４】
この実施例５の弾球遊技機６０１においては、開閉ユニット６８０がケース状の透明部材からなる透明部材６８１と透明板部７００とから構成されているので、開閉ユニット６８０を閉じた状態でも遊技盤６０における露出部分を全て遊技者に見せることができ、遊技盤６０において遊技領域が広く設けられる昨今の傾向にも対応することができ、また、遊技盤６０の遊技領域以外の領域も正面側から見ることができるので、遊技領域を広く見せることが可能となる。
【０１２５】
また、遊技盤６０における遊技領域以外の領域も遊技者が見ることができるので、この領域を有効に利用することができる。例えば、この領域に可動部や飾り部材を設けて視覚的効果を演出することができる。
【０１２６】
また、開閉ユニット６８０においては、透明板部７００が設けられているので、平板部６８２とともに二重の平板部を有する構成となり、セキュリティを向上させることが可能となる。
【０１２７】
また、開閉ユニット６８０の透明部材６８１が平板部６８２と、縁部６８４等とを有する構成になっていて、開閉ユニット６８０の横方向の幅は、本体枠２０の横方向の幅と略同一又は同一に広く形成されているので、遊技者に対して閉塞感を与えることがない。特に、開閉ユニット６８０における透明部材６８１の平板部６８２以外の構成、すなわち、縁部６８４等は、平板部６８２よりも正面側に突出していないので、遊技者に対して閉塞感を与えることがない。
【０１２８】
また、開閉ユニット６８０の横方向の幅は、本体枠２０の横方向の幅と略同一又は同一に広く形成されているので、複数の弾球遊技機６０１を島状に配設した場合に、開閉ユニット６８０が横に連続して連なった外観を呈することになるので、島全体の統一感を与えることができる。
【０１２９】
なお、上記の各実施例において、開閉ユニットは、縦方向の回動軸を中心に横方向に回動して開閉するものとして説明したが、横方向の回動軸を中心に上下方向に回動して開閉するものでもよい。
【０１３０】
また、上記各実施例における透明部材１２０、４２０、６８１や開閉ユニット５８０においては、左右両側の縁部にアール部が設けられているが、このアール部を省略して、縁部を平板部のみの構成としてもよい。この場合には、横方向の平板部と奥行き方向の平板部とは略直角につながっていることになる。
【０１３１】
また、上記の説明においては、弾球遊技機を例にとって説明したが、上記各実施例の開閉ユニットを弾球遊技機以外の遊技機（例えば、回胴式遊技機）に適用してもよい。
【０１３２】
なお、図９、図１０、図１２、図１３の各横断面図は、図５の断面位置を示す図１と同様の位置でも断面図である。また、各図において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向を示している。
【図面の簡単な説明】
【０１３３】
【図１】実施例１の弾球遊技機を示す斜視図である。
【図２】実施例１の弾球遊技機で、開閉ユニットを開状態にした状態を示す斜視図である。
【図３】開閉ユニットの分解斜視図である。
【図４】開閉ユニットにおける内側構成部の要部破断斜視図である。
【図５】実施例１の弾球遊技機の横断面図であり、図１におけるＸ−Ｘ断面図である。
【図６】実施例１の弾球遊技機の要部縦断面図であり、図１におけるＹ−Ｙ断面図である。
【図７】照明装置の構成を示す説明図である。
【図８】実施例１の弾球遊技機の作用を説明するための説明図である。
【図９】実施例２の弾球遊技機の横断面図である。
【図１０】実施例３の弾球遊技機の横断面図である。
【図１１】実施例４の弾球遊技機で、開閉ユニットを開状態にした状態を示す斜視図である。
【図１２】実施例４の弾球遊技機の横断面図である。
【図１３】実施例５の弾球遊技機の横断面図である。
【符号の説明】
【０１３４】
１、２０１、３０１、５０１、６０１  弾球遊技機
１０  外枠
２０  本体枠
２２  枠本体
５０  トップランプ
６０  遊技盤
７０  裏機構盤
８０、３８０  ５８０、６８０  開閉ユニット
８２、３８２  内側構成部
８４、３８４  縁部材
８６  縁枠部
１００  カバー部
１１０、４１０、７００  透明板部
１２０、４２０、６８１  透明部材
１２２、４２２、５８２、６８２  平板部
１２４、１２６、４２４、５８４、５８６、６８４  縁部
１５０  発光装置
１５２  支持部
１６０  発光部
１６２、１６４、１６６  発光部材
【図１】
2007252650.tif 000003
【図２】
2007252650.tif 000004
【図３】
2007252650.tif 000005
【図４】
2007252650.tif 000006
【図５】
2007252650.tif 000007
【図６】
2007252650.tif 000008
【図７】
2007252650.tif 000009
【図８】
2007252650.tif 000010
【図９】
2007252650.tif 000011
【図１０】
2007252650.tif 000012
【図１１】
2007252650.tif 000013
【図１２】
2007252650.tif 000014
【図１３】
2007252650.tif 000015